(57)【特許請求の範囲】
【請求項１】
内部を通る温水が加熱される熱源部と、加熱された温水を貯湯する浴槽と、熱源部と浴槽とを連通する風呂往き管と風呂戻り管から成り風呂循環ポンプを有して温水を循環させる風呂回路と、前記熱源部側に設けた外気温或いは外気温に近い温度を検知する凍結防止センサと、風呂回路の循環温水の温度を検知する温水温度センサと、前記凍結防止センサが所定温度以下を検知した時、風呂循環ポンプを所定時間駆動し、凍結防止センサが所定温度を超える温度を検知するまで風呂循環ポンプを再度所定時間駆動する凍結防止運転を行う凍結制御手段とを備えたものに於いて、前記凍結制御手段は、凍結防止センサが所定温度以下を検知して風呂循環ポンプを所定時間駆動した後、温水温度センサが検知する風呂回路の循環温水の温度が所定温度以上の時は、風呂循環ポンプの駆動時間と停止時間を設定して、風呂循環ポンプを設定した駆動時間駆動し、その後設定した停止時間停止し、その停止時間が経過した時、凍結防止センサが検知する温度による凍結防止運転に戻ることを特徴とする風呂回路の凍結防止装置。
【請求項２】
内部を通る温水が加熱される熱源部と、加熱された温水を貯湯する浴槽と、熱源部と浴槽とを連通する風呂往き管と風呂戻り管から成り風呂循環ポンプを有して温水を循環させる風呂回路と、前記熱源部側に設けた外気温或いは外気温に近い温度を検知する凍結防止センサと、風呂回路の循環温水の温度を検知する温水温度センサと、前記凍結防止センサが所定温度以下を検知した時、風呂循環ポンプを所定時間駆動し、凍結防止センサが所定温度を超える温度を検知するまで風呂循環ポンプを再度所定時間駆動する凍結防止運転を行う凍結制御手段とを備えたものに於いて、前記凍結制御手段は、凍結防止センサが所定温度以下を検知して風呂循環ポンプを所定時間駆動した後、温水温度センサが検知する風呂回路の循環温水の温度が所定温度以上の時は、その循環温水の温度に応じて駆動時間を決定して風呂循環ポンプを駆動し、その後所定時間である停止時間停止し、その停止時間が経過した時、凍結防止センサが検知する温度による凍結防止運転に戻ることを特徴とする風呂回路の凍結防止装置。
【請求項３】
内部を通る温水が加熱される熱源部と、加熱された温水を貯湯する浴槽と、熱源部と浴槽とを連通する風呂往き管と風呂戻り管から成り風呂循環ポンプを有して温水を循環させる風呂回路と、前記熱源部側に設けた外気温或いは外気温に近い温度を検知する凍結防止センサと、風呂回路の循環温水の温度を検知する温水温度センサと、前記凍結防止センサが所定温度以下を検知した時、風呂循環ポンプを所定時間駆動し、凍結防止センサが所定温度を超える温度を検知するまで風呂循環ポンプを再度所定時間駆動する凍結防止運転を行う凍結制御手段とを備えたものに於いて、前記凍結制御手段は、凍結防止センサが所定温度以下を検知して風呂循環ポンプを所定時間駆動した後、温水温度センサが検知する風呂回路の循環温水の温度が所定温度以上の時は、その循環温水の温度に応じて風呂循環ポンプの駆動時間と停止時間を設定して、風呂循環ポンプを設定した駆動時間駆動し、その後設定した停止時間停止し、その停止時間が経過した時、凍結防止センサが検知する温度による凍結防止運転に戻ることを特徴とする風呂回路の凍結防止装置。
【請求項４】
内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結制御手段は、凍結防止センサが所定温度以下を検知して吸熱循環ポンプを所定時間駆動した後、温水温度センサが検知する吸熱回路の循環温水の温度が所定温度以上の時は、吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻ることを特徴とする吸熱回路の凍結防止装置。
【請求項５】
内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結防止運転時は、貯湯部上部の高温水を吸熱回路に循環させ、低温となった温水を貯湯部下部に戻すように吸熱回路を切替ると共に、前記凍結制御手段は、凍結防止センサが所定温度以下を検知して吸熱循環ポンプを所定時間駆動した後、温水温度センサが検知する吸熱回路の循環温水の温度が所定温度以上の時は、吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻ることを特徴とする吸熱回路の凍結防止装置。
【請求項６】
内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて駆動時間を決定して吸熱循環ポンプを駆動し、その後所定時間である停止時間停止し、その停止時間が経過した時、凍結防止センサが検知する温度による凍結防止運転に戻ることを特徴とする吸熱回路の凍結防止装置。
【請求項７】
内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結防止運転時は、貯湯部上部の高温水を吸熱回路に循環させ、低温となった温水を貯湯部下部に戻すように吸熱回路を切替ると共に、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて駆動時間を決定して吸熱循環ポンプを駆動し、その後所定時間である停止時間停止し、その停止時間が経過した時、凍結防止センサが検知する温度による凍結防止運転に戻ることを特徴とする吸熱回路の凍結防止装置。
【請求項８】
内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻ることを特徴とする吸熱回路の凍結防止装置。
【請求項９】
内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結防止運転時は、貯湯部上部の高温水を吸熱回路に循環させ、低温となった温水を貯湯部下部に戻すように吸熱回路を切替ると共に、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻ることを特徴とする吸熱回路の凍結防止装置。
【発明の詳細な説明】
【０００１】
【発明の属する技術分野】
この発明は、風呂を沸かす為の風呂回路又は、吸熱部に温水を循環せることで高温水を得て、これを貯湯部に貯湯し必要に応じて給湯する太陽熱給湯装置、燃料電池給湯機等の吸熱回路の凍結防止装置に関するものである。
【０００２】
【従来の技術】
従来よりこの種の風呂回路及び吸熱回路に於いては、外気温が凍結防止温度以下に低下した事を凍結防止センサが検知して、回路の循環ポンプを駆動させ、温水を循環させることで、回路の凍結を防止するものであった。
【０００３】
【発明が解決しようとする課題】
ところでこの従来のものでは、循環ポンプの凍結防止運転は外気温が凍結防止温度以上に上昇するまで継続され、電力消費量が多くなり不経済であると共に、主に駆動は真夜中となり騒音の原因になると言う問題点を有し、又外気温を検知してのみの運転で、実際の温水温度を検知していない為、本来は凍結の心配がない温水温度でも循環ポンプを凍結防止運転させている可能性も有り、的確で経済的な凍結防止運転が出来ないと言う不具合も有するものであった。
【０００４】
【課題を解決するための手段】
この発明はこの点に着目し上記課題を解決するため、請求項１では特にその構成を、内部を通る温水が加熱される熱源部と、加熱された温水を貯湯する浴槽と、熱源部と浴槽とを連通する風呂往き管と風呂戻り管から成り風呂循環ポンプを有して温水を循環させる風呂回路と、前記熱源部側に設けた外気温或いは外気温に近い温度を検知する凍結防止センサと、風呂回路の循環温水の温度を検知する温水温度センサと、前記凍結防止センサが所定温度以下を検知した時、風呂循環ポンプを所定時間駆動し、凍結防止センサが所定温度を超える温度を検知するまで風呂循環ポンプを再度所定時間駆動する凍結防止運転を行う凍結制御手段とを備えたものに於いて、前記凍結制御手段は、凍結防止センサが所定温度以下を検知して風呂循環ポンプを所定時間駆動した後、温水温度センサが検知する風呂回路の循環温水の温度が所定温度以上の時は、風呂循環ポンプの駆動時間と停止時間を設定して、風呂循環ポンプを設定した駆動時間駆動し、その後設定した停止時間停止し、その停止時間が経過した時、凍結防止センサが検知する温度による凍結防止運転に戻るものである。
又本発明の請求項２に係る風呂回路の凍結防止装置では、特にその構成を、内部を通る温水が加熱される熱源部と、加熱された温水を貯湯する浴槽と、熱源部と浴槽とを連通する風呂往き管と風呂戻り管から成り風呂循環ポンプを有して温水を循環させる風呂回路と、前記熱源部側に設けた外気温或いは外気温に近い温度を検知する凍結防止センサと、風呂回路の循環温水の温度を検知する温水温度センサと、前記凍結防止センサが所定温度以下を検知した時、風呂循環ポンプを所定時間駆動し、凍結防止センサが所定温度を超える温度を検知するまで風呂循環ポンプを再度所定時間駆動する凍結防止運転を行う凍結制御手段とを備えたものに於いて、前記凍結制御手段は、凍結防止センサが所定温度以下を検知して風呂循環ポンプを所定時間駆動した後、温水温度センサが検知する風呂回路の循環温水の温度が所定温度以上の時は、その循環温水の温度に応じて駆動時間を決定して風呂循環ポンプを駆動し、その後所定時間である停止時間停止し、その停止時間が経過した時、凍結防止センサが検知する温度による凍結防止運転に戻るものである。
又本発明の請求項３に係る風呂回路の凍結防止装置では、特にその構成を、内部を通る温水が加熱される熱源部と、加熱された温水を貯湯する浴槽と、熱源部と浴槽とを連通する風呂往き管と風呂戻り管から成り風呂循環ポンプを有して温水を循環させる風呂回路と、前記熱源部側に設けた外気温或いは外気温に近い温度を検知する凍結防止センサと、風呂回路の循環温水の温度を検知する温水温度センサと、前記凍結防止センサが所定温度以下を検知した時、風呂循環ポンプを所定時間駆動し、凍結防止センサが所定温度を超える温度を検知するまで風呂循環ポンプを再度所定時間駆動する凍結防止運転を行う凍結制御手段とを備えたものに於いて、前記凍結制御手段は、凍結防止センサが所定温度以下を検知して風呂循環ポンプを所定時間駆動した後、温水温度センサが検知する風呂回路の循環温水の温度が所定温度以上の時は、その循環温水の温度に応じて風呂循環ポンプの駆動時間と停止時間を設定して、風呂循環ポンプを設定した駆動時間駆動し、その後設定した停止時間停止し、その停止時間が経過した時、凍結防止センサが検知する温度による凍結防止運転に戻るものである。
【０００５】
又本発明の請求項４に係る吸熱回路の凍結防止装置では、特にその構成を、内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結制御手段は、凍結防止センサが所定温度以下を検知して吸熱循環ポンプを所定時間駆動した後、温水温度センサが検知する吸熱回路の循環温水の温度が所定温度以上の時は、吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻るものである。
又本発明の請求項５に係る吸熱回路の凍結防止装置では、特にその構成を、内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結防止運転時は、貯湯部上部の高温水を吸熱回路に循環させ、低温となった温水を貯湯部下部に戻すように吸熱回路を切替ると共に、前記凍結制御手段は、凍結防止センサが所定温度以下を検知して吸熱循環ポンプを所定時間駆動した後、温水温度センサが検知する吸熱回路の循環温水の温度が所定温度以上の時は、吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻るものである。
【０００６】
又本発明の請求項６に係る吸熱回路の凍結防止装置では、特にその構成を、内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて駆動時間を決定して吸熱循環ポンプを駆動し、その後所定時間である停止時間停止し、その停止時間が経過した時、凍結防止センサが検知する温度による凍結防止運転に戻るものである。
又本発明の請求項７に係る吸熱回路の凍結防止装置では、特にその構成を、内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結防止運転時は、貯湯部上部の高温水を吸熱回路に循環させ、低温となった温水を貯湯部下部に戻すように吸熱回路を切替ると共に、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて駆動時間を決定して吸熱循環ポンプを駆動し、その後所定時間である停止時間停止し、その停止時間が経過した時、凍結防止センサが検知する温度による凍結防止運転に戻るものである。
【０００７】
又本発明の請求項８に係る吸熱回路の凍結防止装置では、特にその構成を、内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻るものである。
又本発明の請求項９に係る吸熱回路の凍結防止装置では、特にその構成を、内部を通る温水が加熱される吸熱部と、加熱された温水を貯湯し必要箇所へ給湯する貯湯部と、吸熱部と貯湯部とを連通する吸熱往き管と吸熱戻り管から成り吸熱循環ポンプを有して温水を循環させる吸熱回路と、前記吸熱部側には外気温或いは外気温に近い温度を検知する凍結防止センサと、吸熱回路に設けられ循環温水の温度を検知する温水温度センサと、前記凍結防止センサが所定温度以下を検知した時、吸熱循環ポンプを所定時間駆動し、凍結防止センサが所定温度を超える温度を検知するまで吸熱循環ポンプを再度所定時間駆動する凍結防止運転を行う凍結制御手段とを備えたものに於いて、前記凍結防止運転時は、貯湯部上部の高温水を吸熱回路に循環させ、低温となった温水を貯湯部下部に戻すように吸熱回路を切替ると共に、前記凍結制御手段は、凍結防止センサが所定温度以下を検知して吸熱循環ポンプを所定時間駆動した後、温水温度センサが検知する吸熱回路の循環温水の温度が所定温度以上の時は、その循環温水の温度に応じて吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻るものである。
【０００８】
【発明の実施の形態】
次にこの発明に係る風呂回路の凍結防止装置を図１、図２に示す１缶３回路式給湯装置の一実施形態で説明する。
【０００９】
１は下部に加熱用のバーナ部２を備える燃焼室３を形成した暖房用缶体で、この缶体１内方には蛇管による間接加熱式の給湯用の熱交換器を構成する給湯用熱交４と、蛇管による間接加熱式の風呂焚き用の熱交換器を構成する風呂用熱交５とを上下に配設し、温水暖房を行うと共に給湯及び風呂焚きを同時またはそれぞれ単独でも行えるようにしたものであり、この風呂用熱交５が熱源部を構成するものである。
【００１０】
まず、暖房回路Ａについて説明すると、６は暖房往き管、７は例えば床暖房パネル等の暖房用放熱器、８は暖房戻り管、９は暖房用循環ポンプ、１０は気液分離器、１１は暖房用膨張タンク、１２は開閉弁１３が設けられた暖房バイパス管、１４は暖房用缶体１の温度制御に用いる缶体温度センサで、暖房用缶体１にてバーナ部２の燃焼で缶体温度センサ１４の制御目標温度（約６０℃〜８５℃程度）まで加熱された熱媒体が、暖房用循環ポンプ９により暖房往き管６を介して暖房用放熱器７に送られて暖房を行い、暖房用放熱器７で放熱した低温水（約３０℃〜５０℃程度）が暖房戻り管８を介して暖房用缶体１に戻り再度制御目標温度まで加熱されて循環するものである。
【００１１】
次に給湯回路Ｂについて説明すると、１５は水道に接続された給水管、１６は水の流量を検知する流量センサ、１７は給湯用熱交４で加熱された温水を出湯する給湯管、１８は給湯栓、１９はミキシング弁２０を介して給湯管１７に接続され給水管１５と給湯管１７とを連通する給湯バイパス管、２１は給湯栓１８の閉止時の熱膨張を吸収する給湯用膨張タンク、２２は給水温度センサ、２３は給湯温度センサで、給湯栓１８が開かれて流量センサ１６が最低作動流量を検知すると、暖房用缶体１内の熱媒体の温度を約８０℃程度の高温に維持するようバーナ部２で燃焼を行い、給水管１５からの冷水が給湯用熱交４で暖房用缶体１内の高温の熱媒体により間接加熱され、ミキシング弁２０で水道水と混合され適温に調節されて給湯栓１８から給湯されるものである。
【００１２】
次に風呂回路Ｃについて説明すると、２４は浴槽、２５は風呂往き管、２６は風呂戻り管、２７は戻り管２６に設けられた風呂循環ポンプ、２８は循環の有無を検知する流水スイッチ、２９は風呂温度センサで、浴槽２４内の湯の沸かし上げ要求があると、浴槽２４内の湯を風呂循環ポンプ２７で風呂用熱交５に循環させ、浴槽２４内の湯が暖房用缶体１内の高温の熱媒体により間接加熱されることで浴槽２４内の湯を適温まで沸かし上げたり保温したりするものであり、前記風呂温度センサ２９が温水温度センサを兼用するものである。
【００１３】
３０は凍結防止センサで、上記各部を収納し屋外に設置される枠体３１内に備えられ、この枠体３１内の温度が凍結防止温度の５℃以下に低下することで、この温度を凍結防止センサ３０が検知して風呂循環ポンプ２７を先ず１分間だけ駆動し、この時の温水温度を温水温度センサを兼ねる風呂温度センサ２９で検知し、この時の温水温度に応じてマイコンから成る凍結制御手段３２が、以後の風呂循環ポンプ２７のＯＮ／ＯＦＦ比を決定し、これに従って凍結防止制御するものである。
ここでは、温水温度１５℃以上で３０分ＯＦＦし１分ＯＮの制御を行い、温水温度１℃〜４℃では３０分ＯＦＦし４分ＯＮの制御を行い、又０℃以下ではＯＦＦを継続してＯＮさせない制御を行うものである。
【００１４】
そして、３３は給湯回路Ｂの給湯管１７から分岐されて風呂回路Ｃに湯張り弁３４及び三方弁３５を介して接続される湯張り管で、風呂の湯張り要求があると三方弁３５を風呂回路Ｃと湯張り管３３とを連通するよう切り換えると共に湯張り弁３４を開弁し、給湯用熱交４で加熱された湯を風呂回路Ｃ内に流入させて浴槽２４への一定量の湯張りを行うものである。
【００１５】
ここで、３６は暖房用缶体１の上下部を結ぶ連通パイプ、３７はこの連通パイプ３６途中に備えられた撹拌用循環ポンプで、給湯時または風呂運転時に駆動して、暖房用缶体１内の温度を上下均一化させるもので、給湯または風呂運転が終了するまで継続駆動して撹拌を行うものである。尚、暖房運転時は暖房用循環ポンプ９が駆動されているため、撹拌用循環ポンプ３７は駆動しないようにすることも可能である。
【００１６】
次にこの一実施形態の作動について説明する。
先ず、暖房運転を説明すれば、缶体温度センサ１４が暖房用缶体１内の湯温を検知し、この温度が高温暖房負荷の場合は約８０℃、低温暖房負荷の場合は約６０℃になるようにバーナ部２の燃焼を制御すると共に、暖房用循環ポンプ９を駆動して暖房用缶体１内の高温となった温水や循環液や不凍液等の熱媒体を暖房用放熱器７に流通し、再び暖房用缶体１に戻す循環を繰り返して、暖房用放熱器７によって室内の暖房を行うものである。
【００１７】
次に給湯運転は、暖房運転が行われている場合には既に暖房用缶体１内が高温となっているので、給湯栓１８が開かれれば給水管１５からの低温の水は直ぐに給湯用熱交４で暖房用缶体１内の高温の熱媒体により間接加熱されると同時に、撹拌用循環ポンプ３７を駆動し連通パイプ３６を介して缶体１の下部にある湯を缶体１上部に供給して暖房用缶体１の撹拌を行い暖房用缶体１内の上と下の温度差をなくし、常に同一の熱交換効率で熱交換できるようにして所望の温度の湯が供給されるものである。
【００１８】
この時、暖房に供されて温度低下した熱媒体が暖房用缶体１に流入するが、この戻りの熱媒体は約３０℃〜６０℃程度で比較的高い温度で、従来の給湯用の缶体の場合の低温の水道水よりも十分に高い温度であるため、缶体１内の温度が急激に低下するようなことがなく、暖房を行いながら給湯用の必要熱量を確実に確保して安定した温度の給湯を行うことができると共に、給湯用の熱交換を暖房用缶体１内の給湯用熱交４で行うことにより水道圧をそのまま利用する直圧式の給湯を行えるものである。
【００１９】
尚、暖房運転時には暖房用循環ポンプ９が駆動されているため、暖房用缶体１内の上下の温度差はある程度解消されるため、撹拌用循環ポンプ３７を駆動させないようにすることが可能であるが、撹拌用循環ポンプ３７を駆動すれば更に温度差が解消される効果がある。また、暖房と給湯の同時運転の際には、暖房用缶体１の制御目標温度を暖房単独運転時よりも高温にして給湯用熱交４での熱交換効率を向上させることも可能である。
【００２０】
ここで、給湯運転前に暖房運転が行われていない場合について説明すると、ユーザーが図示しないリモコン等の給湯運転スイッチを入れると、バーナ部２で燃焼を開始して缶体温度センサ１４で検知する暖房用缶体１の温度を約８５℃の制御目標温度まで加熱し、撹拌用循環ポンプ３７を駆動し連通パイプ３６を介して缶体１の下部にある湯を缶体１上部に供給して暖房用缶体１の撹拌を行い暖房用缶体１内の上と下の温度差をなくし常に同一の熱交換効率で熱交換できるようにし、給湯栓１８が開かれるまで待機する。
【００２１】
そして、給湯栓１８が開かれれば、給湯用熱交４内を通過した市水道からの冷水は高温に維持された暖房用缶体１内の熱媒体によって間接加熱されて所望の温度の湯が供給されるものである。尚、夏期などの暖房運転の不必要な期間には給湯終了から一定時間（例えば４時間）の間に再度給湯されることがない場合は、自動的に給湯運転スイッチをオフして、暖房用缶体１の制御目標温度での保持状態を解除して省エネを計ることも可能である。
【００２２】
次に風呂運転は、図示しないリモコンの風呂保温スイッチをＯＮした等の浴槽２４内の湯の沸かし上げ要求があると、風呂用循環ポンプ２７を駆動して浴槽２４内の湯を風呂用熱交５に循環させて、高温に保持された暖房用缶体１内の熱媒体で加熱して浴槽２４内の湯を所望の温度に追い焚きしたり保温したりするもので、風呂温度センサ２９が所望の温度を検知すると自動的に停止されるものである。
【００２３】
尚、このとき給湯運転時と同様に暖房用缶体１には比較的高い温度の熱媒体が戻ってくるため、缶体１内の温度が急激に低下するようなことがなく、暖房を行いながら風呂用の必要熱量を確実に確保して安定した風呂の追い焚きまたは保温を行うことができると共に、撹拌用循環ポンプ３７で暖房用缶体１内の上と下の温度差をなくし常に同一の熱交換効率で沸き上がり時間が大きく変動しない風呂焚きを実現できるものである。
【００２４】
また、給湯と風呂の同時運転の場合には給湯単独運転の場合と同様に暖房用循環ポンプ９を駆動しないで暖房用缶体１を温度制御して上記の給湯運転と風呂運転を同時に行えば良く、給湯と風呂と暖房の同時運転の場合には、給湯・暖房同時運転時または風呂・暖房同時運転時と同様に給湯温度と風呂温度をそれぞれ同時に制御することが可能である。
【００２５】
次に風呂回路Ｃでの凍結防止運転を図２に示すフローチャートに従って説明すれば、外気温が下がり枠体３１内が凍結防止温度の５℃以下に低下すると、この温度を凍結防止センサ３０が検知し（ステップ３８）、ＹＥＳでステップ３９に進み風呂循環ポンプ２７を先ず１分間駆動する。
【００２６】
そしてステップ４０で風呂温度センサ２９で今の温水温度を検知して、１５℃以上であればＹＥＳでステップ４１に進み、凍結制御手段３２による風呂循環ポンプ２７を１分間ＯＮし、３０分間ＯＦＦする制御を行い再びステップ３８に戻り、凍結防止センサ３０が５℃以上を検知するまでこれを繰り返す。
【００２７】
また、ステップ４０で温水温度が１４℃以下の場合には、ＯＮでステップ４２に進み温水温度が１℃〜１４℃かを判断し、ＹＥＳでステップ４３に進んで凍結制御手段３２による風呂循環ポンプ２７を４分間ＯＮし、３０分間ＯＦＦする制御を行い再びステップ３８に戻りこれを繰り返す。
【００２８】
更にステップ４２で温水温度が１℃より低い場合には、ＯＮでステップ４４に進み温水温度が０℃以下かを判断し、ＹＥＳでステップ４５に進んで凍結制御手段３２による風呂循環ポンプ２７のＯＦＦを継続する制御を行い再びステップ３８に戻りこれを繰り返すが、ステップ４４でＯＮの場合にはステップ４０に戻るものである。
【００２９】
従って、風呂回路Ｃが凍結する恐れがある時には、確実に風呂循環ポンプ２７を駆動して配管及び風呂循環ポンプ２７自身の凍結を防止出来るものであり、しかもその駆動は温水温度を検知してから行われるので、的確で無駄が無く、消費電力を極力抑える事が出来ると共に、駆動時の騒音も最小限にする事ができるものである。
【００３０】
次に吸熱回路の凍結防止装置を図３、図４に示す太陽熱給湯装置を例に説明する。
４６は家の屋根上等に設置されるコレクターから成る吸熱部で、内方を流通する温水を太陽熱を受けて加熱する。
【００３１】
４７は吸熱循環ポンプ４８を有した吸熱往き管４９及び吸熱戻り管５０から成る吸熱回路５１を介して吸熱部４６と連通した貯湯部で、吸熱循環ポンプ４８の駆動で貯湯部４７の下部に連通した吸熱往き管４９により低温水を吸熱部４６に供給し、加熱された高温水を貯湯部４７の上部に連通した吸熱戻り管５０で戻し、順次この循環を繰り返して高温水を貯湯するものである。
【００３２】
５２は貯湯部４７の頂部と給湯栓５３とを連通する給湯管で、必要に応じて給湯栓５３を開くことで、貯湯部４７の高温水を給湯することが出来、そしてこの給湯で減った分の給水が給水管５４を介して貯湯部４７に供給される。
【００３３】
５５は吸熱部４６内に備えられた吸熱温度センサで、該吸熱部４６内の温度を検知し所定の高温度を検知することで、吸熱回路５１の吸熱循環ポンプ４８を駆動させて吸熱を開始させるものであり、またこの吸熱温度センサ５５は吸熱部４６の凍結防止温度の５℃以下も検知し、吸熱循環ポンプ４８を１分間駆動させる凍結防止センサも兼ねているものである。
【００３４】
５６は吸熱回路５１中に備えられた温水温度センサで、凍結防止温度以下での吸熱循環ポンプ４８の駆動時に、この時の温水温度を検知し、この検知温度に応じて貯湯部４７に備えられたマイコンから成る凍結制御手段５７が、以後の吸熱循環ポンプ２７のＯＮ／ＯＦＦ比を決定し、これに従って凍結防止制御するものである。
ここでは、温水温度１５℃以上で３０分ＯＦＦし１分ＯＮの制御を行い、温水温度１℃〜４℃では３０分ＯＦＦし４分ＯＮの制御を行い、又０℃以下ではＯＦＦを継続してＯＮさせない制御を行うものである。
【００３５】
５８は吸熱回路５１途中で吸熱循環ポンプ４８と貯湯部４７との間に備えられた回路切替手段で、凍結制御手段５７からの信号で吸熱往き管４９に備えた第１三方弁５９と、吸熱戻り管５０に備えた第２三方弁６０を切替て、凍結防止運転時は貯湯部４７上部の高温水を循環させ、温度低下した温水を貯湯部４７の下部に戻すようにするものである。
【００３６】
次にこの吸熱回路の作動を説明する。
吸熱部４６に太陽光が当たり温度上昇して所定の高温度になると吸熱温度センサ５５がこれを検知し、吸熱循環ポンプ４８を駆動させることで、貯湯部４７下部の低温水を吸熱往き管４９を介して吸熱部４６を通し、熱交換させて高温水とした後、吸熱戻り管５０を介して貯湯部４７の上部に戻す循環を順次繰り返すことで、貯湯部４７を高温水で満たすもので、この貯湯部４７が所定温度になることで吸熱循環ポンプ４８は、自動的に停止されるものである。
【００３７】
そしてこの状態で給湯栓５３を開くことで、貯湯部４７内に貯湯された高温水が給湯され、適宜利用されるものであり、この給湯で高温水が減少すると貯湯部４７へは給水が補給されるものである。
【００３８】
次にこの吸熱回路の凍結防止制御を図４に示すフローチャートに従って説明すれば、外気温が下がり吸熱部４６内が凍結防止温度の５℃以下に低下すると、この温度を吸熱温度センサ５５が検知し（ステップ６１）、ＹＥＳでステップ６２に進み吸熱循環ポンプ４８を先ず１分間駆動すると共に、回路切替手段５８が回路の切替を行う。
【００３９】
そしてステップ６３で温水温度センサ５６で今の温水温度を検知して、１５℃以上であればＹＥＳでステップ６４に進み、凍結制御手段５７による吸熱循環ポンプ４８を１分間ＯＮし、３０分間ＯＦＦする制御を行い再びステップ６に戻り、吸熱温度センサ５５が５℃以上を検知するまでこれを繰り返す。
【００４０】
また、ステップ６３で温水温度が１４℃以下の場合には、ＯＮでステップ６５に進み温水温度が１℃〜１４℃かを判断し、ＹＥＳでステップ６６に進んで凍結制御手段５７による吸熱循環ポンプ４８を４分間ＯＮし、３０分間ＯＦＦする制御を行い再びステップ６１に戻りこれを繰り返す。
【００４１】
更にステップ６５で温水温度が１℃より低い場合には、ＯＮでステップ６７に進み温水温度が０℃以下かを判断し、ＹＥＳでステップ６８に進んで凍結制御手段５７による吸熱循環ポンプ４８のＯＦＦを継続する制御を行い再びステップ６１に戻りこれを繰り返すが、ステップ６７でＯＮの場合にはステップ６３に戻るものである。
【００４２】
従って、吸熱回路５１が凍結する恐れがある時には、確実に吸熱循環ポンプ４８を駆動して配管及び吸熱循環ポンプ４８自身の凍結を防止出来るものであり、しかもその駆動は実際の温水温度を検知し、この温度に応じて駆動時間を変えているので、的確で無駄が無く、消費電力を極力抑える事が出来ると共に、駆動時の騒音も最小限にする事ができるものである。
【００４３】
また、凍結防止運転時には、回路切替手段５８によって吸熱回路５１も切替られ、高温水の循環で確実に凍結が防止されると共に、循環後の低温水は貯湯部４７の下部に戻されるので、貯湯水の温度を急激に低下させることがなく、貯湯水側からも効率の良い凍結防止が行えるものである。
【００４４】
尚、この実施例では循環ポンプのＯＮ時間を可変しＯＦＦ時間は一定としているが、これに限定されることなく、例えばこの逆でＯＦＦ時間を可変するようにしても良いものであり、ＯＮ時間を断続的にしたり多々考えられるものである。更に吸熱回路を太陽熱給湯装置で説明したが、これに限らず近年話題となっている燃料電池用給湯器や電気給湯機でも同様な効果を得られるものである。
【００４５】
【発明の効果】
以上のように、請求項１の風呂回路の凍結防止装置によれば、外気温或いは外気温に近い温度を検知する凍結防止センサが所定温度以下を検知することで、風呂循環ポンプを先ず所定時間駆動した後、風呂回路の循環温水の温度を温水温度センサで検知して、その温度が所定温度以上の時は、風呂循環ポンプの駆動時間と停止時間を設定して、風呂循環ポンプを設定した駆動時間駆動し、その後設定した停止時間停止し、その停止時間が経過した時、凍結防止センサが検知する温度による凍結防止運転に戻るので、風呂回路が凍結する恐れがある時には、確実に風呂循環ポンプを駆動して配管及び風呂循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
又前記構成による請求項２記載の風呂回路の凍結防止装置によれば、外気温或いは外気温に近い温度を検知する凍結防止センサが所定温度以下を検知することで、風呂循環ポンプを先ず所定時間駆動した後、風呂回路の循環温水の温度を温水温度センサで検知して、その温度が所定温度以上の時は、その循環温水の温度に応じて駆動時間を決定して風呂循環ポンプを駆動し、その後所定時間である停止時間停止し、その停止時間が経過した時、凍結防止センサが検知する温度による凍結防止運転に戻るので、風呂回路が凍結する恐れがある時には、確実に風呂循環ポンプを駆動して配管及び風呂循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
更に循環温水の温度に応じて駆動時間を決定して風呂循環ポンプを駆動するので、循環温水の温水温度を検知して、この温度に応じて風呂循環ポンプの駆動時間を決定するので、的確で経済的な凍結防止運転が行え、消費電力を極力抑える事が出来ると共に、静音化も計れるものである。
又前記構成による請求項３記載の風呂回路の凍結防止装置によれば外気温或いは外気温に近い温度を検知する凍結防止センサが所定温度以下を検知することで、風呂循環ポンプを先ず所定時間駆動した後、風呂回路の循環温水の温度を温水温度センサで検知して、その温度が所定温度以上の時は、その循環温水の温度に応じて駆動時間と停止時間とを設定し、風呂循環ポンプを設定した駆動時間駆動し、その後設定した停止時間停止し、その停止時間が経過した時、凍結防止センサが検知する温度による凍結防止運転に戻るので、風呂回路が凍結する恐れがある時には、確実に風呂循環ポンプを駆動して配管及び風呂循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
更に循環温水の温度に応じて駆動時間と停止時間とを決定して風呂循環ポンプを駆動するので、循環温水の温水温度を検知して、この温度に応じて風呂循環ポンプの駆動時間と停止時間とを決定するので、的確で経済的な凍結防止運転が行え、消費電力を極力抑える事が出来ると共に、静音化も計れるものである。
【００４６】
又前記構成による請求項４記載の吸熱回路の凍結防止装置によれば、外気温或いは外気温に近い温度を検知する凍結防止センサが所定温度以下を検知することで吸熱循環ポンプを先ず所定時間駆動した後、吸熱回路の循環温水の温度を温水温度センサで検知して、その温度が所定温度以上の時は、吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻るので、吸熱回路が凍結する恐れがある時には、確実に吸熱循環ポンプを駆動して配管及び吸熱循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
又前記構成による請求項５記載の吸熱回路の凍結防止装置によれば、外気温或いは外気温に近い温度を検知する凍結防止センサが所定温度以下を検知することで吸熱循環ポンプを先ず所定時間駆動した後、吸熱回路の循環温水の温度を温水温度センサで検知して、その温度が所定温度以上の時は、吸熱循環ポンプの駆動時間と停止時間を設定して、吸熱循環ポンプを設定した駆動時間駆動し、その後設定した停止時間停止し、その停止時間が経過した時、凍結防止センサが検知する温度による凍結防止運転に戻り、前記凍結防止運転時は、貯湯部上部の高温水を吸熱回路に循環させ、低温となった温水を貯湯部下部に戻すように吸熱回路を切替るので、吸熱回路が凍結する恐れがある時には、確実に吸熱循環ポンプを駆動して配管及び吸熱循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
又、吸熱回路での凍結防止運転時に回路を切替えて、高温水を循環させて凍結を確実に防止すると共に、低温水を貯湯部の下部に戻すことで温度低下を防止して、効率良く且つ経済的な凍結防止が行えるものである。
又前記構成による請求項６記載の吸熱回路の凍結防止装置によれば、外気温或いは外気温に近い温度を検知する凍結防止センサが所定温度以下を検知することで、吸熱循環ポンプを先ず所定時間駆動した後、吸熱回路の循環温水の温度を温水温度センサで検知して、その温度が所定温度以上の時は、その循環温水の温度に応じて駆動時間を決定して吸熱循環ポンプを駆動し、その後所定時間である停止時間停止し、その停止時間が経過した時、凍結防止センサが検知する温度による凍結防止運転に戻るので、吸熱回路が凍結する恐れがある時には、確実に吸熱循環ポンプを駆動して配管及び吸熱循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
更に循環温水の温度に応じて駆動時間を決定して吸熱循環ポンプを駆動するので、循環温水の温水温度を検知して、この温度に応じて吸熱循環ポンプの駆動時間を決定するので、的確で経済的な凍結防止運転が行え、消費電力を極力抑える事が出来ると共に、静音化も計れるものである。
又前記構成による請求項７記載の吸熱回路の凍結防止装置によれば、外気温或いは外気温に近い温度を検知する凍結防止センサが所定温度以下を検知することで吸熱循環ポンプを先ず所定時間駆動した後、吸熱回路の循環温水の温度を温水温度センサで検知して、その温度が所定温度以上の時は、その循環温水の温度に応じて駆動時間を設定して吸熱循環ポンプを設定した駆動時間駆動し、その後所定時間である停止時間停止し、その停止時間が経過した時、凍結防止センサが検知する温度による凍結防止運転に戻り、前記凍結防止運転時は、貯湯部上部の高温水を吸熱回路に循環させ、低温となった温水を貯湯部下部に戻すように吸熱回路を切替るので、吸熱回路が凍結する恐れがある時には、確実に吸熱循環ポンプを駆動して配管及び吸熱循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
更に循環温水の温度に応じて駆動時間を決定して吸熱循環ポンプを駆動するので、循環温水の温水温度を検知して、この温度に応じて吸熱循環ポンプの駆動時間を決定するので、的確で経済的な凍結防止運転が行え、消費電力を極力抑える事が出来ると共に、静音化も計れるものである。
又、吸熱回路での凍結防止運転時に回路を切替えて、高温水を循環させて凍結を確実に防止すると共に、低温水を貯湯部の下部に戻すことで温度低下を防止して、効率良く且つ経済的な凍結防止が行えるものである。
又前記構成による請求項８記載の吸熱回路の凍結防止装置によれば、外気温或いは外気温に近い温度を検知する凍結防止センサが所定温度以下を検知することで、吸熱循環ポンプを先ず所定時間駆動した後、吸熱回路の循環温水の温度を温水温度センサで検知して、その温度が所定温度以上の時は、その循環温水の温度に応じて駆動時間と停止時間とを設定し、吸熱循環ポンプを設定した駆動時間駆動し、その後設定した停止時間停止し、その停止時間が経過した時、凍結防止センサが検知する温度による凍結防止運転に戻るので、吸熱回路が凍結する恐れがある時には、確実に吸熱循環ポンプを駆動して配管及び吸熱循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
更に循環温水の温度に応じて駆動時間と停止時間とをを決定して吸熱循環ポンプを駆動するので、循環温水の温水温度を検知して、この温度に応じて吸熱循環ポンプの駆動時間を決定するので、的確で経済的な凍結防止運転が行え、消費電力を極力抑える事が出来ると共に、静音化も計れるものである。
又前記構成による請求項９記載の吸熱回路の凍結防止装置によれば、外気温或いは外気温に近い温度を検知する凍結防止センサが所定温度以下を検知することで、吸熱循環ポンプを先ず所定時間駆動した後、吸熱回路の循環温水の温度を温水温度センサで検知して、その温度が所定温度以上の時は、その循環温水の温度に応じて駆動時間と停止時間とを設定し、吸熱循環ポンプを設定した駆動時間駆動し、その後設定した停止時間停止し、その停止時間が経過した時、凍結防止センサが検知する温度による凍結防止運転に戻り、前記凍結防止運転時は、貯湯部上部の高温水を吸熱回路に循環させ、低温となった温水を貯湯部下部に戻すように吸熱回路を切替るので、吸熱回路が凍結する恐れがある時には、確実に吸熱循環ポンプを駆動して配管及び吸熱循環ポンプ自身の凍結を防止出来るものであり、しかもその駆動は温水温度を検知してから行われるので、的確で無駄が無く、消費電力を極力抑える事が出来ると共に、駆動時の騒音も最小限にする事ができるものである。
更に循環温水の温度に応じて駆動時間と停止時間とをを決定して吸熱循環ポンプを駆動するので、循環温水の温水温度を検知して、この温度に応じて吸熱循環ポンプの駆動時間を決定するので、的確で経済的な凍結防止運転が行え、消費電力を極力抑える事が出来ると共に、静音化も計れるものである。
又、吸熱回路での凍結防止運転時に回路を切替えて、高温水を循環させて凍結を確実に防止すると共に、低温水を貯湯部の下部に戻すことで温度低下を防止して、効率良く且つ経済的な凍結防止が行えるものである。
【図面の簡単な説明】
【図１】この発明の風呂回路の一実施形態を付した１缶３回路式給湯暖房装置の概略構成図。
【図２】同風呂回路の凍結防止に関するフローチャート。
【図３】この発明の吸熱回路の一実施形態を付した太陽熱給湯装置の概略構成図。
【図４】同吸熱回路の凍結防止に関するフローチャート。
【符号の説明】
Ｃ  風呂回路
５  風呂用熱交（熱源部）
２４  浴槽
２５  風呂往き管
２６  風呂戻り管
２７  風呂循環ポンプ
２９、５６  風呂温度センサ（温水温度センサ）
３０、５５  凍結防止センサ（吸熱温度センサ）
３２、５７  凍結制御手段
４６  吸熱部
４７  貯湯部
４８  吸熱循環ポンプ
４９  吸熱往き管
５０  吸熱戻り管
５１  吸熱回路
５８  回路切替手段
【図１】
0003967883.tif 000002
【図２】
0003967883.tif 000003
【図３】
0003967883.tif 000004
【図４】
0003967883.tif 000005